(57)【特許請求の範囲】
【請求項１】
主面を有する筐体と、
前記主面上に配置されたタッチパッドと、
前記タッチパッドの、裏面に配置された絶縁性のシート部材と、
前記絶縁性のシート部材の、裏面に配置された導電性のシート部材と、
前記筐体と前記タッチパッドの間に存在し、前記タッチパッドとの間に所定の間隔をおいて配置されたパッドベゼルとを有し、
前記タッチパッドを押下する方向から見て、
前記絶縁性のシート部材は、前記タッチパッドと前記パッドベゼルとの間に存在せず、
前記導電性のシート部材は、前記タッチパッドと前記パッドベゼルとの間に存在する、
情報端末。
【請求項２】
前記導電性のシート部材は、前記絶縁性のシート部材の縁部に対応する部分で形成されている
請求項１に記載の情報端末。
【請求項３】
更に、
前記筐体の内部に電子部品を搭載した基板を有し、
前記導電性のシート部材は前記基板より主面側に配置されている
請求項１に記載の情報端末。
【発明の詳細な説明】
【技術分野】
【０００１】
本開示は、静電式入力装置の誤動作防止構造を備える情報端末に関する。
【背景技術】
【０００２】
特許文献１は、表示ユニットと非導電性の外装部材との間に隙間が形成される電子機器において、この隙間から進入する静電気を回路基板のアース部に流す発明を開示する。この電子機器では、静電気を流す放電部材が外装部材の外側に配置されている。
【先行技術文献】
【特許文献】
【０００３】
【特許文献１】特開２０１１−１６５４０５号公報
【発明の概要】
【発明が解決しようとする課題】
【０００４】
本開示は、静電放電（ＥＳＤ：Ｅｌｅｃｔｒｏｓｔａｔｉｃ  Ｄｉｓｃｈａｒｇｅ）が起きた際でも、静電式入力装置の基板部分に障害を生じさせ難い、情報端末を提供する。
【課題を解決するための手段】
【０００５】
本開示における情報端末は、主面を有する筐体と、前記主面上に配置されたタッチパッドと、前記タッチパッドの、裏面に配置された絶縁性のシート部材と、前記絶縁性のシート部材の、裏面に配置された導電性のシート部材と、前記筐体と前記タッチパッドの間に存在し、前記タッチパッドとの間に所定の間隔をおいて配置されたパッドベゼルとを有し、前記タッチパッドを押下する方向から見て、前記絶縁性のシート部材は、前記タッチパッドと前記パッドベゼルとの間に存在せず、前記導電性のシート部材は、前記タッチパッドと前記パッドベゼルとの間に存在する。
【発明の効果】
【０００６】
本開示の情報端末は、静電放電（ＥＳＤ：Ｅｌｅｃｔｒｏｓｔａｔｉｃ  Ｄｉｓｃｈａｒｇｅ）が起きた際でも静電式入力装置の基板部分に障害を生じさせ難い。
【図面の簡単な説明】
【０００７】
【図１】実施の形態１に係る情報端末の全体斜視図である。
【図２】実施の形態１に係る情報端末の本体の斜視図である。図２（１）は、タッチパッドが取り外された状態での、情報端末の本体の斜視図であり、図２（２）は、タッチパッドが取り付けられた状態での、情報端末の本体の斜視図である。
【図３】図３（１）は、実施の形態１に係る情報端末における、タッチパッドの下部シートの斜視図である。図３（２）は、実施の形態１に係る情報端末における、タッチパッドの下部シート層の層構成を示す分解斜視図である。
【図４】図４（１）は、実施の形態１に係る情報端末における、タッチパッドの下部シート層の平面図である。図４（２）は、実施の形態１に係る情報端末における、タッチパッドの下部シート層の底面図である。
【図５】キーボードのキーが取り外された状態での、実施の形態１に係る情報端末の本体の斜視図である。
【図６】図６（１）は、実施の形態１に係る情報端末の本体の縦断面図である。図６（２）は、図６（１）に示す縦断面の部分拡大図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態に到る経緯）
従来の情報端末（例えば、ノート型パーソナルコンピュータ）では、タッチパッド（静電式入力装置）の縁部分は、パッドベゼルで覆われている。つまり、タッチパッドの縁部の上にパッドベゼルの一部が重ねられている。従って、従来の情報端末では、タッチパッド付近において、情報端末の本体筐体の上方から本体筐体の内部に向けて、直接貫通する隙間は存在しない。このように、直接貫通する隙間は存在しないことから、従来の情報端末を操作する操作者が放つ静電気が、タッチパッド内部の基板部分に侵入することは無い。
【００１１】
ところで、情報端末の携帯化をより容易にするために、今日、情報端末の更なる薄型化が図られている。薄型化が進められる情報端末では、タッチパッドの上面とパッドベゼルの上面とが略面一になるようにタッチパッドとパッドベゼルを並置することが、試みられている。
【００１２】
情報端末においてタッチパッドとパッドベゼルを並置すると、タッチパッドとパッドベゼルとの間に、情報端末の本体筐体の上方から本体筐体の内部に向けて直接貫通する隙間が生じることになる。そうすると、操作者が放つ静電気が、その隙間からタッチパッド内部の基板部分に侵入し、侵入したその基板部分に障害を生じるという事象が発生し得る。
【００１３】
操作者が放つ静電気が、タッチパッドとパッドベゼルとの隙間からタッチパッドの基板部分に侵入する、という事象を防ぐために、パッドベゼル表面や本体筐体の表面に導電性メッキを施すという対策を講じることが挙げられる。しかしながら、パッドベゼル表面や本体筐体の表面に導電性メッキを施すことには、相当のコストが発生する。
【００１４】
このような状況を踏まえて、発明者は、薄型化のためにタッチパッドとパッドベゼルとが並置され、タッチパッドとパッドベゼルとの間に、本体筐体の上方から内部に向けて直接貫通する隙間が形成される情報端末であっても、操作者が放つ静電気がタッチパッドの基板部分に侵入し難い構造を開発した。
【００１５】
（実施の形態１）
以下、図１から図８までを用いて、実施の形態１を説明する。
［１−１．情報端末の構成］
図１は、実施の形態１に係る情報端末の斜視図である。実施の形態１に係る情報端末２は、通常のノート型パーソナルコンピュータと同様に、本体、表示部４及び入力部を備える。本体は（本体）筐体６の内部に設けられる。
【００１６】
図１に示すように、入力部は、キーボード１６、タッチパッド１０、左ボタン１２及び右ボタン１４を含む。タッチパッド１０はその内部に電子基板を含みその電子基板には回路パターンが構成されており、更にその電子基板の外周にはＧＮＤ（グラウンド）端子が配置されている。タッチパッド１０の周囲には、パッドベゼル８が配置されている。後で詳しく説明するように、タッチパッド１０の上面、パッドベゼル８の上面及び本体筐体６の上面が略面一になるように、タッチパッド１０、パッドベゼル８及び本体筐体６が相互に配置されている。
【００１７】
なお、本明細書では、図１に示す本体筐体６において、キーボード１６及びタッチパッド１０が備わる面を「上面」、「主面」及び「表面」と称することとする。従って、図１に示されない、本体筐体６の「上面」、「主面」及び「表面」の反対側の面を、「下面」、「副面」及び「裏面」と称することとする。このことに合わせて、本明細書では、本体筐体６において「上面」及び「表面」の存する方向を「上」「表」と称し、「下面」及び「裏面」の存する方向を「下」「裏」と称することとする。
【００１８】
図２は、実施の形態１に係る情報端末２の本体の斜視図である。このうち、図２（２）は、タッチパッド１０が取り付けられた状態での、情報端末２の本体の斜視図であり、図２（１）は、タッチパッド１０が取り外された状態での、情報端末２の本体の斜視図である。なお、図２（１）に示す情報端末２の本体では、後で説明する下部シート層２０も取り外されている。
【００１９】
図２（１）に示すように、タッチパッド１０の下部側（即ち、本体筐体６の内部側）には、電子部品を搭載した基板１８が配置されている。
【００２０】
［１−２．下部シート層の構成］
実施の形態１に係る情報端末２では、タッチパッド１０と、本体筐体６内部の電子部品を搭載した基板１８との間であって、タッチパッド１０の裏側（内側）に、下部シート層２０が配置される（図６（２）参照）。図３（１）は、実施の形態１に係る情報端末２において、タッチパッド１０の裏面に配置される下部シート層２０の斜視図である。図３（２）は、下部シート層２０の層構成を示す分解斜視図である。
【００２１】
下部シート層２０は、４枚のシート部材、即ち、第１の両面接着シート２２、絶縁シート２４、第２の両面接着シート２６及び導電布２８が層構造を為して接着することにより、形成される。
【００２２】
第１の両面接着シート２２は両面テープから成り、タッチパッド１０裏面と絶縁シート２４表面とに接着する。第１の両面接着シート２２は、例えば、０．１〜０．２ｍｍの厚さを備える。
【００２３】
絶縁シート２４は、絶縁材料からなるシート部材である。図３（１）（２）に示すように、絶縁シート２４には開口部（穴）が設けられていてもよい。絶縁シート２４は、例えば、０．０１〜０．１ｍｍの厚さを備える。
【００２４】
第２の両面接着シート２６は両面テープから成り、絶縁シート２４裏面と導電布２８表面とに接着する。第２の両面接着シート２６は、例えば、０．１〜０．２ｍｍの厚さを備える。
【００２５】
導電布２８は、導電材料からなるシート部材である。図３（２）（及び、図４（２））に示すように、導電布２８は、絶縁シート２４の縁部に対応する部分、及び、縁端部より僅かに、例えば０．０１ｍｍ〜１．０ｍｍ程度、外側に広い部分のみで、形成されてもよい。このように、導電布２８を主として絶縁シート２４の縁部に対応する部分で形成することにより、導電布２８を含む情報端末２全体の軽量化を図ることができる。なお、導電布２８は、本体筐体６の裏面における金属蒸着された通電部分や、通電可能である他の筐体に電気的に接続されている。
【００２６】
なお、導電布２８の形状に合わせて、第２の両面接着シート２６は、図３（２）に示すように、導電布２８に対応する部分若しくはそれより小さい部分のみで、形成されてもよい。更に、第１の両面接着シート２２も、図３（２）に示すように、第２の両面接着シート２６に対応する部分、及び、絶縁シート２４の一部に対応する部分のみで、形成されてもよい。
【００２７】
図４（１）は、以上のように形成される下部シート層２０の、図３（１）の点Ａから見た平面図である。図４（２）は、下部シート層２０の、図３（１）の点Ｂから見た底面図である。
【００２８】
［１−３．タッチパッド、下部シート層及びパッドベゼルの構成］
次に、実施の形態１に係る情報端末２における、タッチパッド１０、下部シート層２０及びパッドベゼル８の相互の構成について説明する。
【００２９】
図５は、キーボードのキーが取り外された状態での、実施の形態１に係る情報端末２の本体の斜視図である。図５に示す本体において、ＰＰを通る縦断面を設定する。そのＰＰを通る縦断面を、図５に示すＱの方向から見た縦断面図を図６（１）に示す。更に、図６（１）に示す縦断面図において、円αで囲まれた部分の拡大図を図６（２）に示す。
【００３０】
図２（１）に示すように、実施の形態１に係る情報端末２では、本体筐体６主面の凹部にパッドベゼル８が嵌め込まれ、更にその内側にタッチパッド１０が配置される。タッチパッド１０、パッドベゼル８及び本体筐体６は、タッチパッド１０の上面、パッドベゼル８の上面及び本体筐体６の上面が略面一になるように相互に配置されている（図６（２）参照）。このとき、タッチパッド１０の裏面に配置される下部シート層２０（第１の両面接着シート２２、絶縁シート２４、第２の両面接着シート２６及び導電布２８）は、本体筐体６の裏面、及び、電子部品を搭載した基板１８よりも表面側に配置される（図６（２）参照）。
【００３１】
パッドベゼル８及びタッチパッド１０は並置されるので、図６（２）に示すように、パッドベゼル８とタッチパッド１０との間には隙間ｔが生じている。この隙間ｔから、情報端末２の操作者が放つ静電気が入り込むことがある。
【００３２】
ここで、実施の形態１に係る情報端末２では、絶縁シート２４の裏面に配置された導電布２８が、隙間ｔを介する静電気の放電を受ける。導電布２８は、本体筐体６の裏面における金属蒸着された通電部分や、通電可能である他の筐体に電気的に接続されているので、導電布２８が放電を受ける、隙間ｔを介する静電気は、外部に逃げることになる。
【００３３】
［１−４．導電布の役割について］
前に説明したように、タッチパッド１０はその内部に電子基板を含みその電子基板には回路パターンが構成されており、更にその電子基板の外周にはＧＮＤ（グラウンド）端子が配置されている。ここで、導電布２８が設けられていない従来技術の情報端末を想定すると、パッドベゼル８とタッチパッド１０との間の隙間ｔを介する静電気は、そのＧＮＤ端子に向かって飛ぶ可能性が高い。ＧＮＤ端子に向かって飛ぶ静電気は、ＧＮＤ端子のみならず、電子基板部分にも侵入して障害を発生することが予想される。
【００３４】
ところで、実施の形態１に係る情報端末２における導電布２８は、電子基板の外周に配置されるＧＮＤ端子に比して、電気容量が非常に大きい。従って、導電布２８が設けられている実施の形態１に係る情報端末２においては、パッドベゼル８とタッチパッド１０との間の隙間ｔを介する静電気は、導電布２８に放電され、更に導電布２８と接続する本体筐体６裏面における通電部分や通電可能である他の筐体に抜けることとなる。
【００３５】
あるいは、実施の形態１に係る情報端末２においては、パッドベゼル８とタッチパッド１０との間の隙間ｔを介して放電される静電気が導電布２８に抜ける際の電気抵抗が、同静電気がタッチパッド１０のＧＮＤ端子を超えて電子基板部分に侵入するまでの電気抵抗よりも、非常に小さいと考えられる。従って、パッドベゼル８とタッチパッド１０との間の隙間ｔを介する静電気は、タッチパッド１０のＧＮＤ端子では無く、導電布２８に放電されることとなる。
【００３６】
このように、パッドベゼル８とタッチパッド１０との間の隙間ｔを介する静電気が、導電布２８に放電されることをより促進するためには、図３（１）（２）、図４（１）及び図６（２）に示すように、導電布２８は、絶縁シート２４の縁端部より僅かに、例えば１ｍｍ程度、外側に広いことが好ましい。また、図６（２）に示すように、パッドベゼル８とタッチパッド１０との間の隙間ｔの真下に導電布２８の一部が存在するように、導電布２８が絶縁シート２４の縁端部より僅かに外側に広いことが好ましい。
【００３７】
［１−５．まとめ］
実施の形態１に係る情報端末２は、主面を有する本体筐体６と、主面上に配置されたタッチパッド１０と、タッチパッド１０の裏面に配置された絶縁性のシート部材２４と、絶縁性のシート部材２４の裏面に配置された導電性のシート部材２８とを有する。
【００３８】
このように、実施の形態１に係る情報端末２においては、タッチパッド１０と筐体６若しくはパッドベゼル８との間に隙間が存在するが、外部からその隙間への静電放電（ＥＳＤ）によりタッチパッド１０の電子基板部分に障害を生じることが無い。
【００３９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００４０】
実施の形態１に係る情報端末２では、タッチパッド１０の上面、パッドベゼル８の上面及び本体筐体６の上面が略面一になるように、タッチパッド１０、パッドベゼル８及び本体筐体６が相互に配置されている（図６（２）参照）。情報端末２はこれに限定されない。例えば、情報端末２がパッドベゼル８を備えるものでは無く、且つ、タッチパッド１０の上面及び本体筐体６の上面が略面一になるように、タッチパッド１０及び本体筐体６が相互に配置されているものであってもよい。
【００４１】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４２】
また、上述の実施の形態は、本開示における技術を例示するためのものであるから、特許請求の範囲またはその均等の範囲において種々の変更、置き換え、付加、省略などを行うことができる。
【産業上の利用可能性】
【００４３】
本開示は、ノート型パーソナルコンピュータのみならず、ラップトップ型パーソナルコンピュータ、デスクトップ型コンピュータ、又はタブレット型コンピュータに利用可能である。
【符号の説明】
【００４４】
２・・・情報端末、４・・・表示部、６・・・本体筐体、８・・・パッドベゼル、１０・・・タッチパッド、１２・・・左ボタン、１４・・・右ボタン、１６・・・キーボード、２０・・・下部シート層、２２・・・第１の両面接着シート、２４・・・絶縁シート、２６・・・第２の両面接着シート、２８・・・導電布。
【図１】
0005909681.tif 000002
【図２】
0005909681.tif 000003
【図３】
0005909681.tif 000004
【図４】
0005909681.tif 000005
【図５】
0005909681.tif 000006
【図６】
0005909681.tif 000007